(57)【要約】【課題】ＵＳＢコントローラでの節電モード制御装置及び方法を提供する。【解決手段】本発明のＵＳＢコントローラは、第１の電圧調節器と、制御スイッチと、第２の電圧調節器と物理レイヤ部と、を備える。第１の電圧調節器は、外部電圧と基準電圧とを受信して第１の内部電圧を出力し、制御スイッチは、外部電圧の供給と遮断とをスイッチングする。第２の電圧調節器は、制御スイッチを通じて供給される電圧と基準電圧とを受信して第２の内部電圧を出力し、物理レイヤ部は、第１の内部電圧又は第２の内部電圧を電圧源としてホストの要請を受信する。これにより、再開始モード転換時必須的な部分を除外した全ての内部ブロックの電源を遮断することによって節電モード時ＵＳＢコントローラで消耗する電流を最小化できる。【選択図】図２
2006228230.tif 000002
【特許請求の範囲】
【請求項１】
外部電圧と基準電圧とを受信して第１の内部電圧を出力する第１の電圧調節器；
前記外部電圧の供給と遮断とをスイッチングする制御スイッチ；
前記制御スイッチを通じて供給される電圧と前記基準電圧とを受信して第２の内部電圧を出力する第２の電圧調節器；および
前記第１の内部電圧又は前記第２の内部電圧を電圧源としてホストの要請を受信する物理レイヤ部；
を備えることを特徴とするＵＳＢコントローラ。
【請求項２】
前記第１の内部電圧は、節電モード時にも常に供給され、前記第２の内部電圧は、節電モード時には、遮断されること
を特徴とする請求項１に記載のＵＳＢコントローラ。
【請求項３】
前記ＵＳＢコントローラは、前記制御スイッチを短絡又は開放させるための制御信号を出力する電圧調節器制御部をさらに備えること
を特徴とする請求項２に記載のＵＳＢコントローラ。
【請求項４】
前記電圧調節器制御部は、前記物理レイヤ部のモード転換信号に応答して前記制御スイッチをスイッチングすること
を特徴とする請求項３に記載のＵＳＢコントローラ。
【請求項５】
前記電圧調節器制御部は、前記物理レイヤ部の前記モード転換信号がスリープである場合前記制御スイッチを開放し、前記モード転換信号がウェークアップである場合前記制御スイッチを短絡すること
を特徴とする請求項４に記載のＵＳＢコントローラ。
【請求項６】
前記電圧調節器制御部は、前記第１の内部電圧を電圧源として動作すること
を特徴とする請求項５に記載のＵＳＢコントローラ。
【請求項７】
前記物理レイヤ部は、
前記ホストとインターフェースを遂行するＰＨＹアナログブロックと；
前記ＰＨＹアナログブロックで受信された前記ホストの要請をデコーディングして物理レイヤ部データを出力するＰＨＹデジタルブロック；および
前記電圧調節器制御部の第１のホルダー制御信号に応答して前記ＰＨＹアナログブロックと前記ＰＨＹデジタルブロックの間の信号を特定電圧に維持するか、或いは正常電圧を有させる第１のシグナルホルダー；
を備えることを特徴とする請求項３に記載のＵＳＢコントローラ。
【請求項８】
前記第１のシグナルホルダーは、節電モード転換時前記電圧調節器制御部の第１のホルダー制御信号に応答して前記ＰＨＹアナログブロックと前記ＰＨＹデジタルブロックの間の信号を特定電圧に維持すること
を特徴とする請求項７に記載のＵＳＢコントローラ。
【請求項９】
前記第１のシグナルホルダーは、再開始モード転換時前記電圧調節器制御部の第１のホルダー制御信号に応答して前記ＰＨＹアナログブロックと前記ＰＨＹデジタルブロックの間の信号が決められた順序に応じて動作するように制御すること
を特徴とする請求項７に記載のＵＳＢコントローラ。
【請求項１０】
前記第１のシグナルホルダーは、前記第１の内部電圧を電圧源として動作すること
を特徴とする請求項９に記載のＵＳＢコントローラ。
【請求項１１】
前記ＵＳＢコントローラは、前記物理レイヤ部データを分析して有効データを抽出するリンク部と前記有効データにより動作を遂行するマイクロコントローラユニットをさらに備えること
を特徴とする請求項７に記載のＵＳＢコントローラ。
【請求項１２】
前記リンク部と前記マイクロコントローラユニットは、前記第２の内部電圧を電圧源として動作すること
を特徴とする請求項１１に記載のＵＳＢコントローラ。
【請求項１３】
前記ＰＨＹアナログブロックは、前記ホストの要請を受信する入出力ブロックと活性モード又は再開始モード時前記ＰＨＹデジタルブロックと前記リンク部にクロックを供給するためのＰＬＬをさらに備えること
を特徴とする請求項７に記載のＵＳＢコントローラ。
【請求項１４】
前記入出力ブロックは、前記第１の内部電圧を電圧源として動作し、前記ＰＨＹデジタルブロックと前記ＰＬＬは、前記第２の内部電圧を電圧源として動作すること
を特徴とする請求項１３に記載のＵＳＢコントローラ。
【請求項１５】
前記ＵＳＢコントローラは、前記電圧調節器制御部の第２のホルダー制御信号に応答して前記ＰＨＹデジタルブロックと前記リンク部の間の信号を特定電圧に維持するか、或いは正常電圧を有させる第２のシグナルホルダーを備えること
を特徴とする請求項７に記載のＵＳＢコントローラ。
【請求項１６】
前記第２のシグナルホルダーは、節電モード転換時前記電圧調節器制御部の第２のホルダー制御信号に応答して前記ＰＨＹデジタルブロックと前記リンク部の間の信号を特定電圧に維持すること
を特徴とする請求項１５に記載のＵＳＢコントローラ。
【請求項１７】
前記第２のシグナルホルダーは、再開始モード転換時前記電圧調節器制御部の第２のホルダー制御信号に応答して前記ＰＨＹデジタルブロックと前記リンク部の間の信号が決められた順序に応じて動作するように制御すること
を特徴とする請求項１６に記載のＵＳＢコントローラ。
【請求項１８】
前記第２のシグナルホルダーは、前記第１の内部電圧を電圧源として動作すること
を特徴とする請求項１５に記載のＵＳＢコントローラ。
【請求項１９】
前記ＵＳＢコントローラは、節電モード転換時前記リンク部に貯蔵された状態データをバックアップするためのバックアップメモリをさらに備えること
を特徴とする請求項７に記載のＵＳＢコントローラ。
【請求項２０】
前記バックアップメモリは、ＮＡＮＤフラッシュメモリであること
を特徴とする請求項１９に記載のＵＳＢコントローラ。
【請求項２１】
ホストから要請を受信する段階；
前記ホストから一定時間の間前記要請が受信されない場合節電モードに転換する段階；および
前記節電モード時にも常に供給される第１の電源電圧と前記節電モード時には、遮断される第２の電源電圧が内部ブロックにより区分されて供給される段階；
を備えることを特徴とするＵＳＢコントローラの節電モード制御方法。
【請求項２２】
状態データをバックアップする段階をさらに備えること
を特徴とする請求項２１に記載のＵＳＢコントローラの節電モード制御方法。
【請求項２３】
前記節電モード時前記内部ブロックの間信号の安定された動作のため前記信号を特定電圧に維持する段階をさらに備えること
を特徴とする請求項２２に記載のＵＳＢコントローラの節電モード制御方法。
【請求項２４】
再開始モードに転換時には、前記第２の電源電圧が供給され、バックアップされた前記状態データが復元され、前記内部ブロックの間信号が決められた順序に応じて動作させる段階をさらに備えること
を特徴とする請求項２３に記載のＵＳＢコントローラの節電モード制御方法。
【発明の詳細な説明】
【技術分野】
【０００１】
本発明は、ＵＳＢコントローラに関するものであり、より詳しくは、節電モード時内部ブロックに供給される電源を遮断することによって消耗される電流を減らすことができるＵＳＢコントローラの節電モード制御装置及び方法に関するものである。
【背景技術】
【０００２】
マウス、プリンター、モデム、スピーカーなどのような周辺機器とパソコンを連結するためのインターフェースの規格化を目的に開発されたＵＳＢ（Ｕｎｉｖｅｒｓａｌ  Ｓｅｒｉａｌ  Ｂｕｓ）は、インテル(登録商標)、コンパック(登録商標)、マイクロソフト(登録商標)、Ｐｈｉｌｉｐｓ(登録商標)、ＩＢＭ(登録商標)及びＮＥＣ(登録商標)などパソコン製造業者コンソーシウムにより作られた直列ポートの一種であり、ウィンドウズ(登録商標)９８の出荷と共に関心を引くようになった。本明細書では、平成１２年４月２７日付の非特許文献１の内容を参照する。
【０００３】
ＵＳＢを用いれば、周辺機器で複雑なアダプタの設置を除去でき、ＵＳＢは、現在大部分のホスト、例えばパソコンに標準に装着される。
【０００４】
直列ポートの限界速度が秒当たりまだ１００Ｋ足らずである反面、ＵＳＢフルスピードは、１２Ｍｂｐｓのデータ伝送速度を支援するのでいい加減に周辺機器を連結しても速度が十分であり、最大１２７個まで装置を鎖のように連結する。またホストを使用する途中で連結しても認識し、周辺機器の電源が不要である。ＵＳＢを使用すれば、周辺機器などをホストと連結するとき、ソフトウェアやハードウェアを別途に設定する必要なしで全ての周辺機器を同一な接続器に接続するのでポート数を画期的に減らすことができるだけでなく、設置が簡便で携帯用装置の小型化が可能になる長所がある。
【０００５】
ＵＳＢを使用してパソコンのようなホストとインターフェースを遂行する装置をＵＳＢデバイスという。ＵＳＢデバイスには、ＵＳＢコントローラが装着されていてホストの要請を受信して所望の動作を遂行する。ＵＳＢデバイスは、携帯用装置が多くて電力減少が重要なので大部分のＵＳＢコントローラは、ホストの要請を遂行するときは、アクティブモードに動作してからホストの要請がない場合には、節電モードに動作して不要な電力の消耗を減らしている。
【０００６】
図１は、従来技術としてＵＳＢコントローラシステム１００を示したブロック図である。
【０００７】
図１を参照すれば、ＵＳＢコントローラシステム１００は、ホスト１２０とホスト１２０の命令を遂行するためのＵＳＢコントローラを備える。
【０００８】
ＵＳＢコントローラは、電圧調節器１１０と、物理レイヤ（ＰＨＹ）部１３０と、リンク部１４０と、マイクロコントローラユニット（ＭＣＵ）１５０と、を備える。物理レイヤ部１３０は、ＰＨＹアナログブロック１３１とＰＨＹデジタルブロック１３３とを備え、ＰＨＹアナログブロック１３１は、入出力ブロック１３５とＰＬＬ（Ｐｈａｓｅ  Ｌｏｃｋｅｄ  Ｌｏｏｐ）１３７とを備える。
【０００９】
電圧調節器１１０は、外部電圧（ＥＸＴ＿ＶＤＤ）と基準電圧（ＶＲＥＦ）とを受信して内部電圧（ＩＮＴ＿ＶＤＤ）を生成する。ＵＳＢコントローラ内部の全てのブロックは、生成された内部電圧（ＩＮＴ＿ＶＤＤ）を電圧源として動作する。ホスト１２０から要請（ｒｅｑｕｅｓｔ）が受信されれば、入出力ブロック１３５は、ＰＬＬ１３７から生成されたクロック（ＣＬＫ）に同期して受信された要請、すなわち受信されたデータをＰＨＹデジタルブロック１３３に伝送する。ＰＨＹデジタルブロック１３３は、伝送されたデータでデコーディングなどを遂行して有効データを抽出してＭＣＵ１５０に伝送する。ＭＣＵ１５０は、有効データによりホストの要請を解析して作業を遂行する。
【００１０】
ホストから一定時間の間要請が受信されなければ、ＵＳＢコントローラは節電モードに進入して消耗する電流を最小化するようになる。節電モードになれば、入出力ブロック１３５は非活性化され、ＰＬＬ１３７はクロック（ＣＬＫ）の生成を中止する。クロックが供給されることができないことによって純粋デジタルロジックから構成されたＰＨＹデジタルブロック１３３とリンク部１４０は、非活性化状態になって電流消耗を減らすようになる。また、ＭＣＵ１５０は、インタラプトを通じて節電モードであることを感知して自体的に節電モードに進入する。
【００１１】
図１のような既存のＵＳＢコントローラは、節電モード時にも全てのブロックに内部電圧（ＩＮＴ＿ＶＤＤ）を供給し続けているために漏洩電流が流れるようになる。従って、電力消耗が増大され、甚だしくはＵＳＢ  Ｓｐｅｃｉｆｉｃａｔｉｏｎで規定している最大電流消耗上限値を通り越すことがある。
【非特許文献１】ＵＳＢ  Ｓｐｅｃｉｆｉｃａｔｉｏｎ  Ｒｅｖｉｓｉｏｎ  ２．０
【発明の開示】
【発明が解決しようとする課題】
【００１２】
本発明の技術的課題は、節電モード進入時内部ブロックの電源供給を遮断することによって不要な電力消耗を減らすことができるＵＳＢコントローラを提供するところにある。
【００１３】
本発明の他の技術的課題は、節電モード進入時内部ブロックの電源供給を遮断することによって不要な電力消耗を減らすことができるＵＳＢコントローラの節電モード制御方法を提供するところにある。
【課題を解決するための手段】
【００１４】
前述した技術的課題を達成するための本発明の一実施形態によるＵＳＢコントローラは、第１の電圧調節器と、制御スイッチと、第２の電圧調節器及び物理レイヤ部と、を備える。第１の電圧調節器は、外部電圧と基準電圧とを受信して第１の内部電圧を出力する。制御スイッチは、外部電圧の供給と遮断とをスイッチングする。第２の電圧調節器は、制御スイッチを通じて供給される電圧と基準電圧とを受信して第２の内部電圧を出力する。物理レイヤ部は、第１の内部電圧又は第２の内部電圧を電圧源としてホストの要請を受信する。
【００１５】
前述した他の技術的課題を達成するための本発明の一実施形態によるＵＳＢコントローラの節電モード制御方法は、ホストから要請を受信する段階と、ホストから一定時間の間要請が受信されない場合節電モードに転換する段階と、節電モード時にも常に供給される第１の電源電圧と節電モード時には、遮断される第２の電源電圧が内部ブロックにより区分されて供給される段階と、を含む。
【発明の効果】
【００１６】
本発明のＵＳＢコントローラによれば、節電モード時再開始モードに転換時必ず必要なブロックを除外した残りブロックには、電源供給を遮断することによって不要な電力消耗を減らすことができる。
【００１７】
また、節電モード時ブロックの間の信号がフローティングされる現象を防止し、再開始モードに転換時決められた順序に応じて各ブロックの間の信号が動作するように制御することによってより安定された節電モードと再開始モード転換を遂行できる。
【発明を実施するための最良の形態】
【００１８】
以下、添付した図面を参照して本発明の好適な実施形態を詳細に説明する。
【００１９】
図２は、本発明の一実施形態によるメモリカードシステム２００を示したブロック図である。
【００２０】
図２を参照すれば、ＵＳＢコントローラシステム２００は、ホスト２４０とホスト２４０の命令を遂行するためのＵＳＢコントローラを備える。
【００２１】
ホスト２４０は、パソコン、デジタルカメラ、デジタルカムコーダー、ＭＰ３プレーヤー又はＰＤＡ（Ｐｅｒｓｏｎａｌ  Ｄｉｇｉｔａｌ  Ａｓｓｉｓｔａｎｔ）になることができる。
【００２２】
ＵＳＢコントローラは、第１の電圧調節器２１０と、電圧調節器制御部２２０と、制御スイッチ２２５と、第２の電圧調節器２３０と、物理レイヤ部２５０と、第２のシグナルホルダー２５４と、リンク部２６０と、マイクロコントローラユニット（ＭＣＵ）２７０及びバックアップメモリ２８０と、を備える。物理レイヤ部２５０は、ホスト２４０とインターフェースを遂行するＰＨＹアナログブロック２５１と、ＰＨＹアナログブロックで受信されたホスト要請をデコーディングして物理レイヤ部データを出力するＰＨＹデジタルブロック２５２及び第１のシグナルホルダー２５３と、を備え、ＰＨＹアナログブロック２５１は、ホスト２４０から要請を受信する入出力ブロック２５５と活性モード又は再開始モード時ＰＨＹデジタルブロック２５２とリンク部２６０にクロック（ＣＬＫ）を供給するためのＰＬＬ２５６とを備える。
【００２３】
ホスト２４０から要請が受信されれば、入出力ブロック２５５は、ＰＬＬ２５６から生成されたクロック（ＣＬＫ）に同期して受信された要請、すなわち受信されたデータをＰＨＹデジタルブロック２５２に伝送する。ＰＨＹデジタルブロック２５２は、伝送されたデータでデコーディングなどを遂行して物理レイヤ部データを出力した後リンク部２６０に送る。リンク部２６０は、物理レイヤ部データを分析して有効データを抽出した後ＭＣＵ２７０に伝送する。ＭＣＵ２７０は、有効データによりホストの要請を遂行する。
【００２４】
ホストから一定時間の間要請が受信されなければ、ＵＳＢコントローラは、節電モードに進入して消耗する電流を最小化するようになる。節電モードになれば、入出力ブロック２５５は、非活性化され、ＰＬＬ２５６は、クロック（ＣＬＫ）生成を中止する。クロックが供給されることができないことによって純粋デジタルロジックから構成されたＰＨＹデジタルブロック２５２とリンク部２６０は、非活性化状態になって電流消耗を減らすようになる。また、ＭＣＵ２７０は、インタラプトを通じて節電モードであることを感知して自体的に節電モードに進入する。
【００２５】
最近、ＵＳＢコントローラが携帯用機器に多く採用されながら消耗電力減少が重要な問題になった。だが、既存のＵＳＢコントローラは、節電モード時にも全てのブロックに電圧が供給し続けているため漏洩電流が流れて不要な電力が消耗される問題点がある。
【００２６】
このような問題を解決するため本発明では、節電モードで再開始モードに転換時必要なブロックを除外した残りブロックは、節電モードの間電圧供給を遮断する。これを具現するために本発明では、第１の電圧調節器２１０と、第２の電圧調節器２３０と、制御スイッチ２２５及び電圧調節器制御部２３０と、を備える。
【００２７】
第１の電圧調節器２１０は、外部電圧（ＥＸＴ＿ＶＤＤ）と基準電圧（ＶＲＥＦ）とを受信して第１の内部電圧（ＩＮＴ＿ＶＤＤ１）を出力するが、第１の内部電圧は、節電モード時にも常に供給されるため再開始モードに転換時必要なブロックの電圧源として供給される。第２の電圧調節器２３０は、制御スイッチ２２５によって供給又は遮断される外部電圧（ＥＸＴ＿ＶＤＤ）と基準電圧（ＶＲＥＦ）とを受信して第２の内部電圧（ＩＮＴ＿ＶＤＤ２）を出力する場合、第２の内部電圧は活性モード又は再開始モード時には、供給されるが、節電モード時には遮断されて節電モード時内部ブロックで消耗する電流を最小化する。制御スイッチ２２５は、ホストで要請が受信される活性モードでは短絡されて外部電圧（ＥＸＴ＿ＶＤＤ）を第２の電圧調節器２３０に供給し、要請が受信されない節電モードでは開放されて外部電圧（ＥＸＴ＿ＶＤＤ）が第２の電圧調節器２３０に供給されない。電圧調節器制御部２２０は、入出力ブロック２５５で受信したホスト要請に応じて制御スイッチ２２５の短絡と開放とをスイッチングする。
【００２８】
従って、本発明では、電圧調節器制御部２２０の制御下に節電モード時にも常に供給される第１の内部電圧（ＩＮＴ＿ＶＤＤ１）と節電モード時には遮断される第２の内部電圧（ＩＮＴ＿ＶＤＤ２）に区分して内部ブロックに供給することによって漏洩電流による電力消耗を最大な防止できる。
【００２９】
図３は、本発明のＵＳＢコントローラシステム２００の第１の電圧調節器２１０と第２の電圧調節器２３０の回路図である。本実施形態では、第１の電圧調節器と第２のの電圧調節器の内部回路を同一なことであり、例を挙げて説明するが、相違することもできる。
【００３０】
図３を参照すれば、本発明の電圧調節器２１０、２３０は、比較器（ｃｏｍ）と、ＭＯＳトランジスタ（Ｔ１）と、抵抗（Ｒ１、Ｒ２）及びキャパシタ（Ｃ１）と、を備える。比較器（ｃｏｍ）は、基準電圧（ＶＲＥＦ）と抵抗（Ｒ１、Ｒ２）によって分配された電圧（ｄｉｖｉｄｅｄ  ｖｏｌｔａｇｅ；ＤＶＤＤ）とを比較して外部電圧（ＥＸＴ＿ＶＤＤ）が基準電圧（ＶＲＥＦ）以上供給されないようにＭＯＳトランジスタ（Ｔ１）を制御する。従って、外部電圧（ＥＸＴ＿ＶＤＤ）の電圧レベルに関係なく内部ブロックに供給される内部電圧（ＩＮＴ＿ＶＤＤ）は、一定に維持される。電圧調節器２１０、２３０は、当業者であれば、一般的な回路であるため詳細な説明は省略する。
【００３１】
図２と図３とを参照すれば、物理レイヤ部２５０の入出力ブロック２５５は、ホスト２４０から要請が受信されれば、すなわちＵＳＢコントローラの活性モード時、電圧調節器制御部２２０にモード転換信号（ＷＡＫＥ＿ＵＰ）を送る。電圧調節器制御部２２０は、モード転換信号（ＷＡＫＥ＿ＵＰ）に応答して制御スイッチ２２５を短絡することによって、外部電圧（ＥＸＴ＿ＶＤＤ）を第２の電圧調節器２３０に供給する。これにより、ホストから受信されたデータは、クロック（ＣＬＫ）に同期してＰＨＹデジタルブロック２５２に伝送され、ＰＨＹデジタルブロック２５２は、伝送されたデータでデコーディングなどを遂行して物理レイヤ部データを抽出した後リンク部２６０に伝送する。リンク部２６０は、物理レイヤ部データを分析して有効データを抽出した後ＭＣＵ２７０に伝送する。ＭＣＵ２７０は、有効データによりホストの要請を遂行する。
【００３２】
ホストから一定時間の間要請が受信されなければ、すなわちＵＳＢコントローラの節電モード時電圧調節器制御部２２０にモード転換信号（ＳＬＥＥＰ）を送る。電圧調節器制御部２２０は、モード転換信号（ＳＬＥＥＰ）に応答して制御スイッチ２２５を開放することによって、外部電圧（ＥＸＴ＿ＶＤＤ）を第２の電圧調節器２３０に供給しない。これにより、第２の内部電圧（ＩＮＴ＿ＶＤＤ２）が供給される内部ブロックは、節電モード時電源供給が遮断されることによって電力消耗を減らすことができる。
【００３３】
節電モード時にもホストからの要請は、受信しなければならないのでＰＨＹアナログブロック２５１の入出力ブロック２５５は、第１の内部電圧（ＩＮＴ＿ＶＤＤ１）を供給する。また、電圧調節器制御部２２０も入出力ブロック２５５のモード転換信号に応じて制御スイッチ２２５をスイッチングしなければならないので第１の内部電圧（ＩＮＴ＿ＶＤＤ１）を供給する。
【００３４】
以外の他の内部ブロック、例えばＰＬＬ２５６、ＰＨＹデジタルブロック２５２、リンク部２６０及びＭＣＵ２７０は、第２の内部電圧（ＩＮＴ＿ＶＤＤ２）を電圧源として動作するため節電モード時電源供給が遮断される。
【００３５】
節電モード時入出力ブロック２５５には電源が供給されるが、ＰＨＹデジタルブロック２５２には電源が供給されないため二つブロックの間の信号は、フローティングされる現象が発生する。
【００３６】
このような問題を解決するために本発明のＵＳＢコントローラは、ＰＨＹアナログブロック２５１とＰＨＹデジタルブロック２５２との間に第１のシグナルホルダー２５３を備えた。第１のシグナルホルダー２５３は、節電モード転換時電圧調節器制御部２２０の第１のホルダー制御信号（ｈｏｌｄ１）に応答してＰＨＹアナログブロック２５１とＰＨＹデジタルブロック２５２の間の信号を特定電圧に維持することによって二つブロックの間の信号がフローティングされる現象を防止する。
【００３７】
また、節電モード時ＰＨＹデジタルブロック２５２とリンク部２６０には、電源が供給されないため二つブロックの間の信号はフローティングされる現象が発生する。
【００３８】
このような問題を解決するために本発明のＵＳＢコントローラは、ＰＨＹデジタルブロック２５２とリンク部２６０との間に第２のシグナルホルダー２５４を備えた。第２のシグナルホルダー２５４は、節電モード転換時電圧調節器制御部２２０の第２のホルダー制御信号（ｈｏｌｄ２）に応答してＰＨＹデジタルブロック２５２とリンク部２６０の間の信号を特定電圧に維持することによって二つブロックの間の信号がフローティングされる現象を防止する。
【００３９】
第１のシグナルホルダー２５３と第２のシグナルホルダー２５４は、節電モード時二つブロックの間の信号を特定電圧に維持させなければならないので第１の内部電圧（ＩＮＴ＿ＶＤＤ１）を供給する。
【００４０】
本発明のＵＳＢコントローラは、リンク部２６０に貯蔵された状態データをバックアップするためにバックアップメモリ２８０を備えた。これにより、節電モードから再開始モードに転換時以前状態に早い復旧が可能である。バックアップメモリ２８０としてはＥＥＰＲＯＭ、ＮＡＮＤ  ＦＬＡＳＨのような不揮発性メモリが主に使用される。
【００４１】
物理レイヤ部２５０の入出力ブロック２５５でホスト２４０から新しい要請が受信されれば、すなわちＵＳＢコントローラの再開始モード時、電圧調節器制御部２２０にモード転換信号（ＷＡＫＥ＿ＵＰ）を送る。電圧調節器制御部２２０は、モード転換信号（ＷＡＫＥ＿ＵＰ）に応答して制御スイッチ２２５を短絡することによって外部電圧（ＥＸＴ＿ＶＤＤ）を再び第２の電圧調節器２３０に供給する。
【００４２】
再開始モード転換時には、バックアップメモリ２８０に貯蔵された状態データにより決められた順序に合うように各ブロックの間の信号が動作されなければならない。
【００４３】
これを具現するため第１のシグナルホルダー２５３は、電圧調節器制御部２２０の第１のホルダー制御信号（ｒｅｌｅａｓｅ１）に応答してＰＨＹアナログブロック２５１とＰＨＹデジタルブロック２５２の間の信号が決められた順序に応じて動作するように制御する。また、第２のシグナルホルダー２５４は、電圧調節器制御部２２０の第２のホルダー制御信号（ｒｅｌｅａｓｅ２）に応答してＰＨＹデジタルブロック２５２とリンク部２６０の間の信号が決められた順序に応じて動作するように制御する。
【００４４】
従って、本発明では、節電モード時にも常に供給される第１の内部電圧（ＩＮＴ＿ＶＤＤ１）と節電モード時には遮断される第２の内部電圧（ＩＮＴ＿ＶＤＤ２）に区分して内部ブロックに供給することによって漏洩電流による電力消耗を最大に防止できる。また、節電モード時ブロックの間の信号がフローティングされる現象を防止し、再開始モードに転換時決められた順序に応じて各ブロックの間の信号が動作するように制御することによってより安定された節電モードと再開始モード転換を遂行できる。
【００４５】
図４は、本発明の一実施形態によるＵＳＢコントローラの節電モード制御方法を示した流れ図である。
【００４６】
図４を参照すれば、先ずホスト２４０からの要請が受信されるか可否を判断して（段階Ｓ１１）一定時間の間要請が受信されなければ、節電モードに転換する。
【００４７】
節電モードから再開始モードに転換時以前状態に早い復旧のため状態データをバックアップし（段階Ｓ１２）、節電モード時内部ブロックの間信号の安定された動作のためシグナルホルダー２５３、２５４を使用して信号を特定電圧に維持する（段階Ｓ１３）。
【００４８】
以後電力減少を最小化するため電圧調節器制御部２２０の制御下に節電モード時にも常に供給される第１の電源電圧と節電モード時には遮断される第２の電源電圧が内部ブロックにより区分されて供給される（段階Ｓ１４）。
【００４９】
ホスト２４０から要請が受信されるか判断して（段階Ｓ１５）要請が受信されれば、再開始モードに転換する。再開始モードに転換されれば、電圧調節器制御部２２０によって第２の内部電圧の供給が再開される（段階Ｓ１６）。
【００５０】
以後バックアップされた状態データが復元され（Ｓ１７）、電圧調節器制御部２２０の制御下に決められた順序に応じてブロックの間信号が動作し（段階Ｓ１８）、ＵＳＢコントローラは正常動作を遂行する（段階Ｓ１９）。
【００５１】
本発明は、図面に示された一実施形態を参照に説明されたが、例示的なものであり、限定的なものではなく、当業者であれば、これから多様な変形及び均等な他の実施形態が可能であることを理解することである。したがって、本発明の真の技術的保護範囲は、特許請求の範囲の技術的思想によって決められるべきである。
【図面の簡単な説明】
【００５２】
【図１】従来技術によるＵＳＢコントローラシステムを示したブロック図である。
【図２】本発明の一実施形態によるＵＳＢコントローラシステムを示したブロック図である。
【図３】図２のＵＳＢコントローラシステムの第１の電圧調節器と第２の電圧調節器とを示した回路図である。
【図４】本発明の一実施形態によるＵＳＢコントローラシステムの節電モード制御方法を示した流れ図である。
【符号の説明】
【００５３】
１００、２００    ＵＳＢコントローラシステム
１１０    電圧調節器
１２０、２４０    ホスト
１３０、２５０    物理レイヤ部
１３１、２５１    ＰＨＹアナログブロック
１３３、２５２    ＰＨＹデジタルブロック
１３５、２５５    入出力ブロック
１３７、２５６    ＰＬＬ
１４０、２６０    リンク部
１５０、２７０    ＭＣＵ
２１０    第１の電圧調節器
２２０    電圧調節器制御部
２３０    第２の電圧調節器
２５３    第１のシグナルホルダー
２５４    第２のシグナルホルダー
２８０    バックアップメモリ
【図１】
2006228230.tif 000003
【図２】
2006228230.tif 000004
【図３】
2006228230.tif 000005
【図４】
2006228230.tif 000006